(57)【要約】コネクタに収容される電気コンタクトは、嵌合部材受容部と、ワイヤ受容部とを含む。前記嵌合部材受容部は、嵌合部材と嵌合するように構成され、前記嵌合部材との間で電気接続を行う。前記ワイヤ受容部は複数の接触部を有し、各接触部は内部に１つの各ワイヤを受容するように構成される。各接触部は、異なる方向からの前記１つの各ワイヤを受容するような向きを有する。前記ワイヤ受容部は、一度に１つの各ワイヤのみを前記ワイヤ受容部に挿入することを可能にする。前記ワイヤ受容部の前記接触部の前記異なる向きにより、前記１つの各ワイヤは、異なる方向から前記コンタクトに挿入されることができ、前記１つの各ワイヤと前記コンタクトとの間で電気接続が行われる。
2015528632.tif 000002
【特許請求の範囲】
【請求項１】
コネクタに収容される電気コンタクトであって、
嵌合部材と嵌合するように構成され、前記嵌合部材との間で電気接続を行う嵌合部材受容部と、
複数の接触部を有し、各接触部は、内部に１つの各ワイヤを受容するように構成され、各接触部は、異なる方向からの前記１つの各ワイヤを受容するような向きを有し、一度に１つの各ワイヤのみを挿入することを可能にするワイヤ受容部と
を含み、
前記ワイヤ受容部の前記接触部の前記異なる向きにより、前記１つの各ワイヤは、異なる方向から前記コンタクトに挿入されることができ、前記１つの各ワイヤと前記コンタクトとの間で電気接続が行われる電気コンタクト。
【請求項２】
前記ワイヤ受容部は、第１の側壁と、第２の側壁と、前記第１の側壁と前記第２の側壁との間に延在する頂壁とを有する請求項１に記載の電気コンタクト。
【請求項３】
取付け部を更に含み、前記取付け部は、前記コネクタと協働し、前記コネクタ内に前記コンタクトを維持する請求項２に記載の電気コンタクト。
【請求項４】
前記第１の側壁は、前記取付け部近傍から、前記嵌合部材受容部から離れる方向に延出し、前記第１の側壁は、前記取付け部に対して略平坦である請求項３に記載の電気コンタクト。
【請求項５】
前記頂壁は、弓形状を有し、前記第１の側壁から前記第２の側壁まで延在し、前記第２の側壁は、前記第１の側壁から離間し、前記第１の側壁に略平行に延在する請求項２に記載の電気コンタクト。
【請求項６】
前記第１の側壁の一端部は、前記第２の側壁に向かって内方に屈曲されて第１の可撓性コンタクト梁を形成し、前記第１の可撓性コンタクト梁と、前記第１の可撓性コンタクト梁に近接配置される前記第２の側壁の部分は、前記１つの各ワイヤが接続されることができる第１の接触部を形成する請求項２に記載の電気コンタクト。
【請求項７】
前記第２の側壁の一端部は、前記第１の側壁に向かって内方に屈曲されて第２の可撓性コンタクト梁を形成し、前記第２の可撓性コンタクト梁と、前記第２の可撓性コンタクト梁に近接配置される前記第１の側壁の部分は、前記１つの各ワイヤが接続されることができる第２の接触部を形成する請求項６に記載の電気コンタクト。
【請求項８】
前記頂壁から離れる方向に延在する前記第２の側壁の部分は、前記第１の側壁に向かって内方に屈曲されて第３の可撓性コンタクト梁を形成し、前記第３のコンタクト梁と、前記第３の可撓性コンタクト梁に近接配置される前記第１の側壁の部分は、前記１つの各ワイヤが接続されることができる第３の接触部を形成する請求項７に記載の電気コンタクト。
【請求項９】
前記頂壁に開口が設けられ、前記開口は、前記第１の接触部と前記第２の接触部との間に配置され、前記第３のコンタクト梁と整列し、前記開口は、前記頂壁を介した前記第３の接触部への前記１つの各ワイヤの挿入を可能にするように構成される請求項８に記載の電気コンタクト。
【請求項１０】
前記第１の接触部、前記第２の接触部、及び前記第３の接触部は、異なる方向からの前記１つの各ワイヤを受容するような向きを有する請求項８に記載の電気コンタクト。
【請求項１１】
前記嵌合部材受容部は、Ｕ字形の部材を形成する２つの対向する脚を有する請求項１に記載の電気コンタクト。
【請求項１２】
突起は、各脚の端部近傍から延出し、前記嵌合部材と協働し、前記嵌合部材との電気接続を行う請求項１１に記載の電気コンタクト。
【請求項１３】
前記取付け部は、前記嵌合部材受容部と前記ワイヤ受容部との間に配置される請求項３に記載の電気コンタクト。
【請求項１４】
前記取付け部は、前記取付け部の両側から延出する曲線部を有し、前記曲線部は、前記コネクタのコネクタハウジングの構造的部材と係合し、前記コネクタに対して所定の位置に記取付け部及び前記コンタクトを維持し、前記コンタクトの長手軸を横断する方向への前記コンタクトの望ましくない移動を防止する請求項１３に記載の電気コンタクト。
【請求項１５】
前記取付け部は、前記取付け部から前記取付け部の平面外の方向に延出する１つ以上の返しを有し、前記返しは、前記コネクタハウジングと協働し、前記取付け部及び前記コンタクトを所定の位置に維持し、且つ前記コンタクトの長手軸に平行な方向への前記コンタクトの望ましくない移動を防止する請求項１３に記載の電気コンタクト。
【発明の詳細な説明】
【技術分野】
【０００１】
本発明は、一般に、ワイヤコンタクトに関し、より具体的には、複数の接触部を有し、ワイヤが複数の方向からコンタクトに挿入されることを可能にするポークインワイヤコンタクトに関する。
【背景技術】
【０００２】
米国の発電所、送電線、及び変電所を、家庭、企業、及び工場に接続する配電グリッドは、略全て、高電圧の交流電流（ＡＣ）の領域で運用されている。しかしながら、これらの建物内で見られる益々多くのデバイスが、実際は、低電圧の直流電流（ＤＣ）で動作している。これらのデバイスとしては、限定ではないが、デジタルディスプレイ、リモートコントローラ、タッチセンサ式コントローラ、送信器、受信器、タイマー、発光ダイオード（ＬＥＤ）、音声増幅器、マイクロプロセッサ、その他のデジタル電子機器、及び充電式バッテリ又は使い捨てバッテリを利用する実質的に全ての製品が挙げられる。
【０００３】
低電圧ＤＣを利用するデバイスの設置は、典型的に、電圧源から一対のワイヤが配索される場所に限定されている。低電圧ＤＣ製品の配置及び電力供給における融通性を増加することが望ましい。具体的には、既存のシステムの欠点のない、建物内環境、具体的には天井環境に、電力及び信号の伝送等の電気的機能性を有することが益々望まれている。
【０００４】
オフィス、研究所、軽工業施設、保健施設、会議場及び宴会場施設、教育施設、及びホテル、アパート、老人ホーム、小売店、レストラン等の共用領域といった商用建築物の空間は、一般的に、つり天井を有するように建設されている。これらのつり天井設備は、その多くの認知された利点により、至る所で使用されている。かかる天井は、通常、上部構造からワイヤで吊り下げられた矩形のオープングリッドと、このグリッドによって支持され、グリッド部材間の開口空間を閉塞するタイル又はパネルとを含む。
【０００５】
多くの比較的低電力のデバイスは、現在、かかる天井上に支持されており、より新しい電子デバイス及び電気器具は、引き続き天井への取付用に開発及び採用されている。天井構造は、当然のことながら、典型的に、占有可能面積の全床面積を覆っている。これにより、天井は、占有空間において電子デバイスが必要とされる場所に電子デバイスを支持することが可能になる。建物は、空間調整、照明、防音、セキュリティ、及びその他の目的のエネルギー管理において、よりインテリジェントになってきている。センサ、アクチュエータ、トランスデューサ、スピーカ、カメラ、レコーダを含む上記機能を提供する電気器具は、一般に、全て低電圧のＤＣ電力を使用する。
【０００６】
より良い効率と使い易さを提供するため、天井グリッドには内部バスバーが配置されている。かかるシステムの１つが、Ｅｍｅｒｇｅ  Ａｌｌｉａｎｃｅ（ビル内配電の直流化を推進する北米の団体）に関連する文書に記述されている。かかるシステムは、つり天井の支持レールに埋め込まれた２つの平行なバスバーを介して電力を提供する。バスバーには、電気コネクタが嵌合され、様々な低電圧デバイスに電力を供給する。しかし、これらのコネクタは、設置するのが困難すなわち様々なデバイスに対して接続されることが困難な場合が多かったり、これらのコネクタは、高価で製造及び組立が複雑であったりする。
【発明の概要】
【発明が解決しようとする課題】
【０００７】
解決すべき課題は、夫々のデバイスに対して容易に接続されることができるコンタクト及びコネクタであって、コンタクト及びコネクタの製造のコスト及び複雑性を低減するコンタクト及びコネクタの必要性である。本発明は、これらの必要性を満足し、更なる利益を提供し、例えば、限定ではないが、グリッド状フレーム構造と併せて、又はポークイン型コンタクトが使用されることができる任意のその他の用途において使用されることができるポークイン型コンタクトを提供する。
【課題を解決するための手段】
【０００８】
上記課題の解決法は、嵌合部材受容部と、ワイヤ受容部とを含む、コネクタに収容される電気コンタクトによって提供される。前記嵌合部材受容部は、嵌合部材と嵌合するように構成され、前記嵌合部材との間で電気接続を行う。前記ワイヤ受容部は、複数の接触部を有し、各接触部は、内部に１つの各ワイヤを受容するように構成される。各接触部は、異なる方向からの前記１つの各ワイヤを受容するような向きを有する。前記ワイヤ受容部は、一度に１つの各ワイヤのみを前記ワイヤ受容部に挿入することを可能にする。前記ワイヤ受容部の前記接触部の前記異なる向きにより、前記１つの各ワイヤは、異なる方向から前記コンタクトに挿入されることができ、前記１つの各ワイヤと前記コンタクトとの間で電気接続が行われる。
【０００９】
本発明は、添付の図面を参照して一例として以下に記述される。
【図面の簡単な説明】
【００１０】
【図１】本発明のコンタクトの例示的実施形態の正面の斜視図である。
【００１１】
【図２】図１に示すコンタクトの例示的実施形態の底面の斜視図である。
【００１２】
【図３】図１に示すコンタクトの例示的実施形態の平面図であり、上面の下方に配置される可撓性コンタクト梁を露出するために当該上面が透視的に示されている。
【００１３】
【図４】２つの並置された図１のコンタクトの斜視図であり、一方のコンタクトが、他方のコンタクトに対して１８０°回転されている。
【００１４】
【図５】コンタクトが内部に配置された例示的なコネクタの斜視図であり、ワイヤが、コネクタの上面から挿入された状態で示されている。
【００１５】
【図６】図５の例示的コネクタの断面図であり、コンタクトが、夫々のワイヤと電気的に係合した状態で示されている。
【００１６】
【図７】コンタクトが内部に配置された例示的なコネクタの斜視図であり、ワイヤが、コネクタの側面から挿入された状態で示されている。
【００１７】
【図８】図７の例示的コネクタの断面図であり、各コンタクトが、各ワイヤに電気的に係合した状態で示されている。
【発明を実施するための形態】
【００１８】
例示的実施形態によれば、コネクタに収容される電気コンタクトは、嵌合部材受容部と、ワイヤ受容部とを含む。前記嵌合部材受容部は、嵌合部材と嵌合するように構成され、前記嵌合部材との間で電気接続を行う。前記ワイヤ受容部は、複数の接触部を有し、各接触部は、内部に１つの各ワイヤを受容するように構成される。各接触部は、異なる方向からの前記１つの各ワイヤを受容するような向きを有する。前記ワイヤ受容部は、一度に１つの各ワイヤのみを前記ワイヤ受容部に挿入することを可能にする。前記ワイヤ受容部の前記接触部の前記異なる向きにより、前記１つの各ワイヤは、異なる方向から前記コンタクトに挿入されることができ、前記１つの各ワイヤと前記コンタクトとの間で電気接続が行われる。
【００１９】
例示的実施形態によれば、コネクタに収容されるポークインコンタクトは、嵌合部材受容部と、取付け部と、ワイヤ受容部とを含む。前記嵌合部材受容部は、嵌合部材と嵌合して前記嵌合部材との間で電気接続を行うように構成される。前記取付け部は、前記コネクタと協働し、前記コネクタ内に前記コンタクトを維持する。前記ワイヤ受容部は、複数の接触部を有し、各接触部は、内部に１つの各ワイヤを受容するように構成される。各接触部は、異なる方向からの前記１つの各ワイヤを受容するような向きを有する。前記ワイヤ受容部は、一度に１つの各ワイヤのみを前記ワイヤ受容部に挿入することを可能にする。前記ワイヤ受容部の前記接触部の前記異なる向きにより、前記１つの各ワイヤは、異なる方向から前記コンタクトに挿入されることができ、前記１つの各ワイヤと前記コンタクトとの間で電気接続が行われる。
【００２０】
例示的実施形態によれば、１つの各ワイヤを受容するためのポークインコンタクトは、ワイヤ受容部を含む。前記ワイヤ受容部は、前記１つの各ワイヤが第１の方向から挿入されて接続されることができる第１の接触部と、前記１つの各ワイヤが第２の方向から挿入されて接続されることができる第２の接触部と、前記１つの各ワイヤが第３の方向から挿入されて接続されることができる第３の接触部とを有する。前記ワイヤ受容部の前記接触部の前記異なる向きにより、前記１つの各ワイヤは、異なる方向から前記コンタクトに挿入されることができ、前記各ワイヤと前記コンタクトとの間で電気接続が行われる。
【００２１】
本発明は、本発明の例示的実施形態が示される添付の図面を参照して、以下により詳細に記述される。図面では、領域又は機能部の相対的な大きさは、分かり易いように強調されている場合がある。しかしながら、本発明は、様々な形態で実施されることができ、本書に説明される実施形態に限定されるものと解釈されるべきではなく、むしろ、これらの実施形態は、一例であって、本開示を十分且つ完全なものとし、当業者に対して本発明の範囲が詳細に伝わるように提供されものである。
【００２２】
当然のことながら、「頂部の」、「上部の」、「下部の」等の空間的な関係を示す用語は、本書において、図面に示されるある部材又は特徴に対する他の部材又は特徴の関係を説明する記述を容易にするために使用される。当然のことながら、空間的な関係を示す用語は、図面に描かれた向きに加え、使用中又は動作中のデバイスの様々な向きを包含するものとする。例えば、図面におけるデバイスが反転されると、他の部材又は特徴に対して「上に」と記述された要素は、前記他の部材又は特徴に対して「下に」なる。このように、一例としての「上に」という用語は、上方及び下方の両方の方位を包含し得る。デバイスは、他の方向に向ける（９０°又は他の向きに回転される）ことができ、本書で使用される空間的な関係を示す記述用語は、しかるべく解釈される。
【００２３】
図１乃至図３を参照すると、例示的コンタクト２０が示されている。コンタクト２０は、ワイヤ受容部２２と、取付け部２４と、嵌合部材受容部２６とを有する。コンタクトは、導電性材料から作製される。図示の例示的実施形態では、ワイヤ受容部２２、取付け部２４、及び嵌合部材受容部２６は、以下により詳細に記述するように、コネクタハウジングに挿入される略平坦なコンタクトを形成する。
【００２４】
嵌合部材受容部２６は、嵌合部材と嵌合して嵌合部材との間で電気接続を行うように構成される。図示の例示的実施形態では、嵌合部材受容部２６は、Ｕ字形の部材を形成する２つの対向する脚３０，３２を有する。Ｕ字形部材は、２０１１年１２月２日に提出された同時継続中の米国出願第１３／３０９，６００号に示される種類の電化グリッドの嵌合部材すなわちレールと電気的に係合する状態で配置されるように構成され、当該出願は、参照によってその全体が本書に援用される。脚３０の端部近傍からは、突起３４が延出する。突起３４は、嵌合部材に端子２０を電気的に接続する接点として機能する。例示的な嵌合部材受容部２６は、２つの脚を有するように示されているが、本発明の範囲を逸脱しなければ、その他の構成が可能である。
【００２５】
図示の例示的実施形態では、取付け部２４は、嵌合部材受容部２６とワイヤ受容部２２との間に配置される。取付け部２４は、コネクタハウジングと協働して、コネクタ内にコンタクトを維持する。取付け部２４は、取付け部２４の両側から延出する曲線部４０を有する。曲線部４０は、コネクタハウジングの壁又はその他の構造的部材に係合し、取付け部２４及びコンタクト２０を所定の位置に維持し、コンタクト２０の長手軸を横断する方向へのコンタクト２０の望ましくない移動を防止する。更に、取付け部２４は、取付け部２４から取付け部２４の平面外の方向に延出する１つ以上の返し４２を有する。返し４２は、コネクタハウジングと協働し、取付け部２４及びコンタクト２０を所定の位置に維持し、且つコンタクト２０の長手軸に平行な方向へのコンタクト２０の望ましくない移動を防止する。曲線部４０と返し４２の組み合わせにより、コンタクト２０は、コネクタハウジング内で適切に固定され、それにより、コンタクト２０の望ましくない移動又は取り外しが防止される。例示的な取付け部２４は、曲線部４０及び返し４２を有するように示されているが、本発明の範囲から逸脱しなければ、その他の構成が可能である。
【００２６】
図示の例示的実施形態では、ワイヤ受容部２２は、第１の側壁５０と、第２の側壁５２と、第１の側壁５０と第２の側壁５２との間に延在する頂壁５４とを有する。第１の側壁５０は、取付け部２４近傍から、嵌合部材受容部２６から離れる方向に延在する。第１の側壁５０は、取付け部２４に対して略平坦である。頂壁５４は、弓形状を有し、第１の側壁５０から第２の側壁５２まで延在する。第２の側壁５２は、第１の側壁５０から離間し、第１の側壁５０と略平行に延在する。
【００２７】
図２及び図３において最も良く見られるように、第１の側壁５０の一端は、第２の側壁５２に向かって内方に屈曲され、第１の可撓性コンタクト梁６０を形成する。第１の可撓性コンタクト梁６０と、第１の可撓性コンタクト梁６０に近接配置される第２の側壁５２の部分は、以下により詳細に記述するように、各ワイヤが第１の方向から挿入されて接続されることができる第１の接触部６２を形成する。
【００２８】
第２の側壁５２の一端部は、第１の側壁５０に向かって内方に屈曲され、第２の可撓性コンタクト梁６４を形成する。第２の可撓性コンタクト梁６４と、第２の可撓性コンタクト梁６４に近接配置される第１の側壁５０の部分は、以下により詳細に記述するように、各ワイヤが第２の方向から挿入されて接続されることができる第２の接触部６６を形成する。
【００２９】
頂壁５４には開口６８（図３及び図４）が設けられる。開口６８は、第１の接触部６２と第２の接触部６６との間に配置され、開口６８は、各ワイヤを挿通させることができるように構成される。頂壁５４から離れる方向に延在する第２の側壁５２の部分は、第１の側壁５０に向かって内方に屈曲され、図２に最も良く示されているように、第３の可撓性コンタクト梁７０を形成する。第３のコンタクト梁７０は、第３のコンタクト梁７０が、開口６８と垂直（図面で見た場合）に整列して配置されるように形成される。第３のコンタクト梁７０と、第３のコンタクト梁７０に近接配置される第１の側壁５０の部分は、以下により詳細に記述するように、各ワイヤが開口６８から第３の方向に挿入され、開口６８内に接続されることができる第３の接触部７２を形成する。
【００３０】
ワイヤ受容部２２は、複数の接触部６２，６６，７２を有し、各接触部６２，６６，７２は、各ワイヤを内部に受容するように構成され、各接触部６２，６６，７２は、異なる方向から各ワイヤを受容するような向きを有する。図示の例示的な実施形態では、３つの接触部６２，６６，７２を備えるコンタクト２０の構成により、ワイヤは、コンタクト２０の左側（図１で見た場合）、右側（図１で見た場合）、又は頂部（図１で見た場合）からコンタクト２０へ接続されるすなわち差し込まれることができる。これにより、コネクタハウジングの設計、及びコネクタの最終用途に関して、最大限の柔軟性が可能になる。言い換えれば、ワイヤは左側から差し込まれて第１の接触部６２と係合することができ、又は、ワイヤは右側から差し込まれて第２の接触部６６と係合することができ、又は、ワイヤは頂部側から差し込まれて第３の接触部７２と係合することができる。
【００３１】
ここで、図４を参照すると、２つのコンタクト２０，１２０は、互いに近接して設けられている。コンタクト１２０は、コンタクト２０と同一であるが、コンタクト１２０は、１８０°回転されている。これにより、限定ではないが、照明器具等のデバイスからの２本のワイヤは、一方のワイヤ（プラス又はマイナス）がコンタクト２０に接続され、他方のワイヤ（プラス又はマイナス）が他方のコンタクト１２０に接続されるように、接続されることができる。一例として、ワイヤが左側から差し込まれた場合、一方のワイヤはコンタクト２０の第１の接触部６２と係合し、他方のワイヤはコンタクト１２０の第２の接触部６６と係合する。他の例として、ワイヤが右側から差し込まれた場合、一方のワイヤはコンタクト２０の第２の接触部６６と係合し、他方のワイヤはコンタクト１２０の第１の接触部６２と係合する。更に他の例として、ワイヤが頂部側から差し込まれた場合、一方のワイヤはコンタクト２０の第３の接触部７２と係合し、他方のワイヤはコンタクト１２０の第３の接触部７２と係合する。
【００３２】
図５乃至図８を参照すると、コンタクト２０，１２０を収容するコネクタ８０，９０の２つの例示的な実施形態が示されている。コネクタ８０（図５及び図６）は、ハウジング８２の頂面８６からコンタクト２０，１２０まで延在する開口８４を有するコネクタハウジング８２を有する。これにより、各ワイヤ８８は、コネクタハウジング８２の頂部からコンタクト２０，１２０の第３の接触部７２まで挿入されることができる。或いは、コネクタ９０（図７及び図８）は、ハウジング９２の側面９６からコンタクト２０，１２０まで延在する開口９４を有するコネクタハウジング９２を有する。これにより、各ワイヤ９８は、コネクタハウジング９２の側部からコンタクト２０，１２０の夫々の第１又は第２の接触部６２，６６に挿入されることができる。
【００３３】
図６を参照すると、各ワイヤ８８が第３の接触部７２に挿入される時、ワイヤ８８は、開口６８（図３）から挿入される。ワイヤ８８の挿入は、ワイヤ８８の端部が、第２の側壁５２から第１の側壁５０に向かって斜めに延出する第３の可撓性梁７０と係合しながら続けられる。ワイヤ８８を挿入し続けると、第３の可撓性梁７０は、図６において透視的に示す装着位置まで、第１の側壁５０から離れる方向に撓曲する。ワイヤ８８が十分に挿入されると、第３の可撓性梁７０は、元の位置に向かって戻り、それにより、第３の可撓性梁７０と第１の側壁５０との間でワイヤ８８を締め付けるばね力を提供する。
【００３４】
図８を参照すると、各ワイヤ９８が第１の接触部６２に挿入されると、ワイヤ９８の挿入は、ワイヤ９８の端部が、第１の側壁５０から第２の側壁５２に向かって斜めに延出する第１の可撓性梁６０と係合しながら続けられる。ワイヤ９８を挿入し続けると、第１の可撓性梁６０は、図８において透視的に示す装着位置まで、第２の側壁５２から離れる方向に撓曲する。ワイヤ９８が十分に挿入されると、第１の可撓性梁６０は、元の位置に向かって戻り、それにより、第１の可撓性梁６０と第２の側壁５２との間でワイヤ９８を締め付けるばね力を提供する。この構成では、第２の可撓性梁６４は、第１の接触部６２へのワイヤ９８の過度の挿入を防止するストッパとして使用されることができる。例えば、ワイヤ９８が第１の接触部６２に挿入されると、ワイヤ９８の端部が、第２の側壁５２と係合するまで撓曲しない又は最小限にしか撓曲しない、上記方向から係合される場合のワイヤ止め機能部となる第２の可撓性梁６４と係合するので、ワイヤ９８の挿入を続けることができなくなる。
【００３５】
図８には示されないが、各ワイヤ９８が第２の接触部６６に挿入されると、ワイヤ９８の挿入は、ワイヤ９８の端部が、第２の側壁５２から第１の側壁５０に向かって斜めに延出する第２の可撓性梁６４と係合しながら続けられる。ワイヤ９８を挿入し続けると、第２の可撓性梁６４は、装着位置まで、第１の側壁５０から離れる方向に撓曲する。ワイヤ９８が十分に挿入されると、第２の可撓性梁６４は元の位置に向かって戻り、それにより、第２の可撓性梁６４と第１の側壁５０との間でワイヤ９８を締め付けるばね力を提供する。この構成では、第１の可撓性梁６０は、第２の接触部６６へのワイヤ９８の過度の挿入を防止するストッパとして使用されることができる。例えば、ワイヤ９８が第２の接触部６６に挿入されると、ワイヤ９８の端部が、撓曲しないか又は第１の可撓性梁６０が第１の側壁５０と係合するまで最小限にしか撓曲しない第１の可撓性梁６０と係合することでワイヤ９８の挿入を続けることができなくなり、上記方向から係合する場合のワイヤ止め機能部となる。
【００３６】
コネクタ８０，９０は、２つの異なるコネクタとして例示されているが、単一のコネクタハウジングが、頂面及び側面を貫通する開口を備えてもよい。しかしながら、かかるコネクタでは、ワイヤは、頂面又は側面のいずれかからしか挿入されることができない。ワイヤは、頂面と側面の両方から挿入されてデイジーチェーン方式の接続を形成することはできない。
【００３７】
ハウジングの構成に拘らず、各コンタクト２０，１２０は、常に一つの各ワイヤのみを受け入れるように構成される。各コンタクト２０，１２０のワイヤ受容部２２には、同時に複数のワイヤが挿入されて接続されることはできない。
【００３８】
接触部の上記構成により、各ワイヤは、設置時間及びコストを低減させて、コンタクトに確実に接続されることができる。更に、各コンタクトに設けられる複数の接触部により、各ワイヤは、複数の方向から、すなわち、図示の本実施形態では、右側、左側、又は頂部側からコンタクトに挿入されるすなわち差し込まれることができる。これにより、限定ではないが、低電圧の電化グリッドとともに使用されるコネクタを含む様々なコネクタハウジングの設計及び最終用途に、同じコンタクト構成が使用されることができる。これにより、多種多様なコネクタ及び多種多様な用途に同じコンタクトが使用されることができるので、設計に柔軟性が与えられ、製造費及び在庫費が減少する。
【図１】
2015528632.tif 000003
【図２】
2015528632.tif 000004
【図３】
2015528632.tif 000005
【図４】
2015528632.tif 000006
【図５】
2015528632.tif 000007
【図６】
2015528632.tif 000008
【図７】
2015528632.tif 000009
【図８】
2015528632.tif 000010
【国際調査報告】
2015528632.tif 000011
2015528632.tif 000012
2015528632.tif 000013